(57)【要約】  無線伝送システムは、現用無線通信装置と予備無線通信装置と、運用を切り替える選択装置と、を備え、予備無線通信装置は、対向装置から送信される信号を受信する。受信の結果、現用無線通信装置で障害が発生していることを示す障害情報を検出した場合は、現用無線通信装置で障害が発生していることを通知する。当該通知を受け取った選択装置は、運用を切り替える切り替え制御を行う。これにより、例えば、高い周波数利用効率を保ちつつ、障害発生時に短い切り替え時間で通信を継続することができる。
2012160826.tif 000002
【特許請求の範囲】
【請求項１】
無線通信機能を備える第１無線通信装置及び第２無線通信装置と、
無線伝送路を挟んで対向する対向装置と通信を行う無線通信装置として前記第１無線通信装置又は前記第２無線通信装置のいずれか片方を選択する選択装置と、
を備え、
前記第２無線通信装置は、
前記選択装置が前記対向装置と通信を行う無線通信装置として前記第１無線通信装置を選択している場合に、前記対向装置から送信される信号を受信し、
前記第１無線通信装置で障害が発生していることを示す障害情報を検出した場合に前記第１無線通信装置で障害が発生していることを通知し、
前記選択装置は、
前記通知に基づいて前記対向装置と通信を行う無線通信装置を前記第１無線通信装置から前記第２無線通信装置に切り替える切り替え制御を行う、
無線伝送システム。
【請求項２】
前記第１無線通信装置又は前記第２無線通信装置のうち、
前記対向装置と通信を行う無線通信装置として選択されている無線通信装置は、基準となるマスタークロックに基づいて送信クロックを生成し、前記送信クロックに基づいて送信処理を行うことを特徴とし、
前記対向装置と通信を行う無線通信装置として選択されていない無線通信装置は、前記マスタークロックに基づいて送信クロックを生成する一方で、前記送信クロックに基づく送信処理は行わないことを特徴とする、
請求項１に記載の無線伝送システム。
【請求項３】
前記第１無線通信装置及び第２無線通信装置は、
基準となるマスタークロックを外部から入力する入力手段と、
前記マスタークロックに基づいて送信クロックを生成する送信クロック生成手段と、
前記送信クロックに基づいて送信処理を行う送信処理手段と、
受信処理を行う受信処理手段と、
受信クロックを生成する受信クロック生成手段と、
前記受信処理手段で受信処理が行われた情報の中から前記障害情報を検出する障害検出手段と、
前記障害情報が検出された場合に、前記選択装置に障害の発生を通知する通知手段と、
を具備する請求項１又は請求項２に記載の無線伝送システム。
【請求項４】
前記障害検出手段は、自装置で障害が発生したことを更に検出し、
前記通知手段は、自装置で障害が発生したことを前記選択装置に通知する、
請求項３に記載の無線伝送システム。
【請求項５】
前記選択装置は、
前記対向装置と通信を行う無線通信装置として前記第１無線通信装置又は前記第２無線通信装置のいずれか片方を選択する選択手段と、
前記選択手段において前記対向装置と通信を行う無線通信装置として選択されていない無線通信装置より前記通知を受けた場合に、前記選択手段において選択されている前記対向装置と通信を行う無線通信装置を切り替える制御を行う切り替え制御手段と、
を具備する請求項１乃至請求項４のいずれか１項に記載の無線伝送システム。
【請求項６】
前記選択装置は、基準となる前記マスタークロックを生成するクロック生成手段を更に具備し、
前記選択手段は、前記マスタークロックを前記第１無線通信装置及び第２無線通信装置の両方に出力する、
請求項５に記載の無線伝送システム。
【請求項７】
受信処理を行う受信処理手段と、
受信クロックを生成する受信クロック生成手段と、
障害が発生していることを検出する検出手段と、
障害が発生していることを通知する通知手段と、
を具備し、
無線伝送路を挟んで対向する対向装置と通信を行う無線通信装置を選択する選択装置によって、前記対向装置と通信を行う無線通信装置として選択されていない場合において、
前記検出手段は、前記受信処理手段で受信処理が行われた情報の中から前記対向装置と通信を行っている無線通信装置において障害が発生していることを示す障害情報を検出し、
前記通知手段は、前記障害情報が検出された場合に、前記対向装置と通信を行っている無線通信装置において障害が発生していることを前記選択装置に通知する、
無線通信装置。
【請求項８】
基準となるマスタークロックを外部から入力する入力手段と、
前記マスタークロックに基づいて送信クロックを生成する送信クロック生成手段と、
前記送信クロックに基づいて送信処理を行う送信処理手段と、
を更に具備し、
前記対向装置と通信を行う無線通信装置として選択されていない場合において、
前記入力手段は、前記対向装置と通信を行っている無線通信装置が参照しているマスタークロックを入力し、前記送信クロック生成手段は、前記入力手段で入力された前記マスタークロックに基づいて送信クロックを生成する一方、前記送信処理手段は、前記送信クロックに基づく送信処理を行わないことを特徴とする、
請求項７に記載の無線通信装置。
【請求項９】
前記検出手段は、自装置において障害が発生していることを更に検出し、
前記通知手段は、自装置において障害が発生していることを前記選択装置に通知する、
請求項７又は請求項８に記載の無線通信装置。
【請求項１０】
無線通信機能を備える複数の無線通信装置の中から無線伝送路を挟んで対向する対向装置と通信を行う無線通信装置を選択する選択ステップと、
前記対向装置と通信を行う無線通信装置として選択されていない無線通信装置において前記対向装置から送信される信号を受信する受信ステップと、
前記受信された信号の中に含まれている前記対向装置と通信を行っている無線通信装置において障害が発生していることを示す障害情報を検出する検出ステップと、
前記障害情報が検出された場合は、前記対向装置と通信を行っている無線通信装置において障害が発生していることを通知する通知ステップと、
前記通知を受けて、前記対向装置と通信を行う無線通信装置を切り替える切り替えステップと、
を有する無線伝送方法。
【発明の詳細な説明】
【技術分野】
【０００１】
本発明は無線伝送システム及び当該システムで用いられる無線伝送方法並びに無線通信装置に関し、特に冗長構成を備える無線伝送システム、無線伝送方法、無線通信装置、に関する。
【背景技術】
【０００２】
高い通信品質が求められる無線伝送システムにおいて、無線通信装置に障害が発生した場合にパケットロスやパケット遅延が発生することを抑えるために冗長性を持たせた無線伝送システムが導入されている。【０００３】
図８は、背景技術にかかる無線伝送システムの冗長方式を示している。図８の無線伝送システムでは、現用機器である無線通信装置８１０と無線通信装置８３０との間で無線通信が行われ、予備機器である無線通信装置８２０と無線通信装置８４０との間で予備通信が行われる。【０００４】
ここで、現用系である無線通信装置８１０と無線通信装置８３０との間の無線通信では送信用・受信用として周波数ｆ１とｆ２の搬送波が使用され、予備系である無線通信装置８２０と無線通信装置８４０との間の無線通信では別の周波数ｆ３とｆ４の搬送波が送信用・受信用として使用される。【０００５】
無線通信装置８１０と無線通信装置８２０は選択装置８５０と接続されており、選択装置８５０は有線ネットワークと接続する無線通信装置を切り替える機能を有する。同様に無線通信装置８３０と無線通信装置８４０は選択装置８６０と接続されており、選択装置８６０は、ネットワークと接続する無線通信装置を切り替える機能を有する。【０００６】
ここで、障害発生時に現用系から予備系への切り替え時間を短縮するために予備機器である無線通信装置８２０と無線通信装置８４０はHot Standbyとなっており、周波数ｆ３とｆ４の搬送波を用いて予備通信を行っている。そして、現用機器である無線通信装置８１０と無線通信装置８３０の間で通信障害が発生した場合は、選択装置８５０及び選択装置８６０が運用を現用系から予備系へ切り替えることにより通信が継続される。【０００７】
また、有線通信において現在運用している現用系から予備系への切り替え時間を短縮する技術として、例えば特許文献１に記載の冗長切替制御方法がある。当該制御方法によれば、予備系の通信装置においても予め受信回線について受信クロック同期が取られているため、運用系の通信装置に障害等が発生した場合でも、短い切替時間で予備系の通信装置への切り替えが可能となる。
【先行技術文献】
【特許文献】
【０００８】
【特許文献１】特開２００９−２６７９５３号公報
【発明の概要】
【発明が解決しようとする課題】
【０００９】
背景技術にかかる無線伝送システムでは、予備系と現用系とは異なる周波数帯域を用いてそれぞれ独立した通信を行うため周波数利用効率が悪い。また、障害発生時には現用系の双方の装置を予備系に切り替える必要があるため、この切り替え時間を短縮するために予備系はHot Standbyとしておく必要があり、消費電力が大きくなるという課題を生じていた。【００１０】
本発明は、上記課題を鑑み、冗長構成を備える無線伝送システムにおいて、高い周波数利用効率を保ちつつ、障害発生時に短い切り替え時間で通信を継続することができる無線伝送システム、無線伝送方法、及び無線通信装置を提供することを目的とする。
【課題を解決するための手段】
【００１１】
本発明の無線伝送システムは、無線通信機能を備える第１無線通信装置及び第２無線通信装置と、無線伝送路を挟んで対向する対向装置と通信を行う無線通信装置として前記第１無線通信装置又は前記第２無線通信装置のいずれか片方を選択する選択装置と、を備え、前記第２無線通信装置は、前記選択装置が前記対向装置と通信を行う無線通信装置として前記第１無線通信装置を選択している場合に、前記対向装置から送信される信号を受信し、前記第１無線通信装置で障害が発生していることを示す障害情報を検出した場合に前記第１無線通信装置で障害が発生していることを通知し、前記選択装置は、前記通知に基づいて前記対向装置と通信を行う無線通信装置を前記第１無線通信装置から前記第２無線通信装置に切り替える切り替え制御を行う。【００１２】
また、本発明の無線通信装置は、受信処理を行う受信処理手段と、受信クロックを生成する受信クロック生成手段と、障害が発生していることを検出する検出手段と、障害が発生していることを通知する通知手段と、を具備し、無線伝送路を挟んで対向する対向装置と通信を行う無線通信装置を選択する選択装置によって前記対向装置と通信を行う無線通信装置として選択されていない場合において、前記検出手段は、前記受信処理手段で受信処理が行われた情報の中から前記対向装置と通信を行っている無線通信装置において障害が発生していることを示す障害情報を検出し、前記通知手段は、前記障害情報が検出された場合に、前記対向装置と通信を行っている無線通信装置において障害が発生していることを前記選択装置に通知する。【００１３】
また、本発明の無線伝送方法は、無線通信機能を備える複数の無線通信装置の中から無線伝送路を挟んで対向する対向装置と通信を行う無線通信装置を選択する選択ステップと、前記対向装置と通信を行う無線通信装置として選択されていない無線通信装置において前記対向装置から送信される信号を受信する受信ステップと、前記受信された信号の中に含まれている前記対向装置と通信を行っている無線通信装置において障害が発生していることを示す障害情報を検出する検出ステップと、前記障害情報が検出された場合は、前記対向装置と通信を行っている無線通信装置において障害が発生していることを通知する通知ステップと、前記通知を受けて、前記対向装置と通信を行う無線通信装置を切り替える切り替えステップと、を有する。
【発明の効果】
【００１４】
本発明によれば、冗長構成を備える無線伝送システムにおいて、高い周波数利用効率を保ちつつ、障害発生時に短い切り替え時間で通信を継続することができる無線伝送システム、無線伝送方法、及び無線通信装置を提供することができる。
【図面の簡単な説明】
【００１５】
【図１】実施の形態１にかかる無線伝送システムの構成例を示すブロック図である。
【図２】実施の形態２にかかる無線伝送システムの構成例を示すブロック図である。
【図３】実施の形態２にかかる下り方向の通信時に現用機器の機能が全停止した場合における予備系への切り替わり動作例を示すシーケンス図である。
【図４】実施の形態２にかかる上り方向の通信時に現用機器の機能が全停止した場合における予備系への切り替わり動作例を示すシーケンス図である。
【図５】実施の形態２にかかる下り方向の通信時に現用機器の機能が一部停止した場合における予備系への切り替わり動作例を示すシーケンス図である。
【図６】実施の形態２にかかる下り方向の通信時に現用機器の機能が一部停止した場合における予備系への切り替わり動作例を示すシーケンス図である。
【図７】実施の形態２にかかる上り方向の通信時に現用機器の機能が一部停止した場合における予備系への切り替わり動作例を示すシーケンス図である。
【図８】背景技術にかかる無線伝送システムの構成を示すブロック図である。
【発明を実施するための形態】
【００１６】
（実施の形態１）
以下、図面を参照して本発明の実施の形態について説明する。図１は、本発明実施の形態１にかかる無線伝送システム１０００の構成例を示すブロック図である。無線伝送システム１０００において、無線通信装置１０と無線通信装置２０は選択装置５０と接続されており、選択装置５０は有線でネットワークと接続されている。また、無線通信装置３０は、無線伝送路を挟んで無線通信装置１０及び無線通信装置２０と対向している。以下の説明では無線通信装置３０を対向装置３０と呼ぶ。また、無線伝送システム１０００は、下り方向の無線通信に周波数ｆ１の周波数帯域が用いられ、上り方向の無線通信に周波数ｆ２の周波数帯域が用いられるＦＤＤ（Frequency Division Duplex）であるとして説明する。
【００１７】
選択装置５０は、対向装置３０と無線通信を行う無線通信装置として無線通信装置１０又は無線通信装置２０のいずれか片方を選択する。具体的には、選択装置５０は、内部にスイッチを具備しており、無線通信装置１０又は無線通信装置２０のいずれか片方をネットワークに接続することで、運用する無線通信装置を決定する。
【００１８】
ネットワークから送られてくるデータは、選択装置５０で選択された無線通信装置へ送られ、当該無線通信装置より対向装置へ無線送信される。また、対向装置より無線送信されたデータは、選択装置５０で選択された無線通信装置で受信されてネットワークへ送られる。なお、本願でいう通信とは送信及び受信の両方を行うこととする。また、以下、対向装置と無線通信を行う無線通信装置として選択装置５０が選択する無線通信装置を現用機器と呼び、予備として設けられた他方を予備機器と呼ぶこととする。以下、無線通信装置１０が現用機器であり、無線通信装置２０が予備機器であるとして説明する。
【００１９】
無線通信装置１０は、無線通信機能を備え、現用機器として対向装置３０と無線通信を行う。具体的には、無線通信装置１０は、通信処理部１１を具備し、当該通信処理部１１が受信機能及び送信機能を備えている。
【００２０】
通信処理部１１は、ネットワークから選択装置５０を通って送られてくるデータに対して変調処理を行い、変調後の信号を所定の送信周波数ｆ１を有する搬送波に重畳して対向装置３０へ送信する。また、通信処理部１１は、対向装置３０より送信周波数ｆ２の搬送波に重畳されて送信される信号を受信し、復調処理を行った後に得られるデータをネットワーク側へ送る。
【００２１】
無線通信装置２０は、無線通信装置１０と同様、無線通信機能を備え、予備機器として選択装置５０に接続されている。具体的には、無線通信装置２０は、通信処理部２１を具備し、当該通信処理部２１が受信機能及び送信機能を備える。
【００２２】
ここで、無線通信装置２０は予備機器であり、無線通信装置１０が現用機器として対向装置３０と無線通信を行っているため、無線通信装置２０は、対向装置３０と無線送信を行わない。具体的には、通信処理部２１は、無線伝送路における干渉を防ぐため、その送信機能を停止しており、信号の無線送信を行わない。
【００２３】
一方で、無線通信装置２０は、予備機器であっても対向装置３０より送信されるデータを受信する。すなわち、通信処理部２１は、送信機能は停止する一方、受信機能は起動しており、対向装置３０から送信周波数ｆ２の搬送波に重畳されて送信されたデータを受信して復調する。通信処理部２１で復調されるデータのうち、受信に必要となるクロック再生情報や無線通信装置１０で障害が発生していることを示す障害情報など所定のデータ以外は破棄される。
【００２４】
対向装置３０は、通信処理部３１とアラーム検出部（障害検出部）３２を備える。通信処理部３１は、無線通信機能を備え、現用機器である無線通信装置１０と無線通信を行う。アラーム検出部３２は、現用機器である無線通信装置１０の送信状態を通信処理部３１内の受信処理部を経由して監視する。アラーム検出部３２は、無線通信装置１０の送信が停波した場合などに障害が発生したことを検出し、無線通信装置１０で障害が発生していることを示す障害情報を生成して通信処理部３１へ送る。通信処理部３１は、アラーム検出部３２より受け取った上記障害情報を無線送信する。上述したように当該障害情報は、予備機器である無線通信装置２０において受信される。
【００２５】
無線通信装置２０は、対向装置３０から受信したデータの中に上記障害情報が含まれているかを監視しており、当該障害情報が受信データの中から検出された場合には、当該無線通信装置１０で障害が発生していることを選択装置５０に通知する。選択装置５０は、当該通知を無線通信装置２０より受けると、無線通信装置１０で障害が発生していると判断し、現用機器を無線通信装置１０から無線通信装置２０へ切り替える制御を行う。
【００２６】
以上のように本実施の形態１にかかる無線伝送システムにおいて、選択装置が現用機器として無線通信装置１０を選択している場合においても、予備機器である無線通信装置２０は、対向装置から送信される信号を受信する受信処理を行う。無線通信装置２０における受信処理の結果、現用機器である無線通信装置１０において障害が発生していることを示す障害情報が受信された場合には、無線通信装置２０は、無線通信装置１０で障害が発生していることを選択装置に通知する。選択装置５０は、無線通信装置２０からの通知に基づいて対向装置と無線通信を行う無線通信装置を無線通信装置１０から無線通信装置２０に切り替える切り替え制御を行う。
【００２７】
このような構成とすることで、現用機器に障害が発生した場合でも、予備機器が対向装置より送信される障害情報を受信して選択装置に送り、選択装置が当該障害情報に基づいて現用機器を切り替えることが可能となる。従って、短い切り替え時間で現用系から予備系への切り替えが可能となり、パケットロスを防ぎ、パケット遅延を最小限に留めることができる。
【００２８】
（実施の形態２）
以下、図面を参照して本発明の実施の形態２について説明する。図２は、本発明実施の形態２にかかる無線伝送システム２０００の構成例を示すブロック図である。以下各ブロックについて詳細に説明する。但し、実施の形態１で説明したブロックについては一部説明を省略する。
【００２９】
本無線伝送システム２０００では、大きく分けて、一方に選択装置５０と無線通信装置１０と無線通信装置２０が配置され、無線伝送路を挟んで対向する他方に選択装置６０と無線通信装置３０と無線通信装置４０が配置される。
【００３０】
選択装置５０には、無線通信装置１０と無線通信装置２０とが接続されている。選択装置５０は、有線ネットワーク側より送られてくるデータを運用状態により無線通信装置１０と無線通信装置２０のいずれか片方に出力する。本実施の形態では、無線通信装置１０が現用機器として動作し、無線通信装置２０が予備機器として動作するものとする。
【００３１】
また、対向側において、選択装置６０には、無線通信装置３０と無線通信装置４０とが接続されている。選択装置６０は、有線ネットワーク側より送られてくるデータを無線通信装置３０と無線通信装置４０のいずれか片方に出力する。本実施の形態では、無線通信装置３０が現用機器として動作し、無線通信装置４０が予備機器として動作するものとする。
【００３２】
すなわち、無線通信装置１０と無線通信装置３０が現用系としてお互い無線通信を行い、無線通信装置２０と無線通信装置４０は予備系として配置されている。以下、各装置における具体的構成について説明する。また、以下の説明では対向側における現用機器である無線通信装置３０を対向現用機器と、対向側における予備機器である無線通信装置４０を対向予備機器とそれぞれ呼ぶことがある。
【００３３】
まず、無線通信装置１０の構成について説明する。無線通信装置１０は、大きく分けて、通信処理部１１と、有線伝達部１２と、アラーム検出部１７と、を備える。
【００３４】
通信処理部１１は、対向装置と無線通信を行うための通信手段であり、具体的には、送信クロック再生部（送信クロック生成部）１３と、送信処理部１４と、受信処理部１５と、受信クロック再生部（受信クロック生成部）１６と、を備える。
【００３５】
送信クロック再生部（送信クロック生成部）１３は、送信処理部１４で必要となる送信クロックを生成（再生）し、当該送信クロックを送信処理部１４へ送る。具体的には、送信クロック再生部１３は、後述するマスタークロック部５３より、スイッチ部５１及び有線伝達部１２を介してマスタークロックを受け取り、当該マスタークロックに位相ロックをかけることでマスタークロックに同期した送信クロックを生成（再生）する。送信クロック再生部１３は、生成（再生）した送信クロックを送信処理部１４に出力する。
【００３６】
ここで、送信クロック再生部１３は、無線通信装置１０が予備機器として動作する場合であっても、マスタークロックを受け取り、送信クロックを生成（再生）しておく。このように動作することで、自装置が予備系から現用系に切り替えられた場合でも、既に同期がとられている状態であるため、改めて同期を取る処理が不要となり、切り替え時間を短縮することができる。
【００３７】
送信処理部１４は、送信クロック再生部１３から入力した送信クロックを用いて有線伝達部１２から送られてくる送信データを変調し、変調した送信データを周波数ｆ１の搬送波に重畳して無線送信する。送信処理部１４は、無線通信装置１０が予備機器として動作する場合は、搬送波を停波し、現用機器として動作する場合は搬送波を送信する。また、送信処理部１４は有線伝達部１２を経由してアラーム検出部１７より送られてくる対向現用機器で障害が発生していることを示す障害情報を受け取った場合は、当該障害情報も合わせて変調し、周波数ｆ１の搬送波に重畳して無線送信する。
【００３８】
受信処理部１５は、受信クロック再生部１６から入力した受信クロックを用いて、対向する無線通信装置３０又は無線通信装置４０から送信された信号を受信し、続いて復調する。受信処理部１５は、受信処理後のデータのうち、受信に必要なクロック再生情報を受信クロック再生部１６へ送り、障害情報をアラーム検出部１７へ送り、その他の復調したデータを有線伝達部１２へ送る。
【００３９】
また、受信処理部１５は、対向現用機器である無線通信装置３０から送信される信号を監視し、対向現用機器における送信周波数である周波数ｆ２の搬送波が停波した場合若しくはデータ復調などのデータから前記対向現用機器の異常が見つかった場合は、対向現用機器で異常が発生していることを示す信号をアラーム検出部１７へ送る。
【００４０】
ここで、受信処理部１５は、無線通信装置１０が予備機器として動作する場合であっても常に動作し、受信処理と復調処理を行うことでデータを取得する。受信処理部１５は、予備機器として受信処理及び復調処理を行う中で、取得したデータの中に現用機器となっている無線通信装置２０で障害が発生していることを示す障害情報が含まれている場合は、当該障害情報をアラーム検出部１７へ送る。
【００４１】
受信クロック再生部（受信クロック生成部）１６は、受信処理に必要となる情報であるクロック再生情報を受信処理部１５より入力し、当該クロック再生情報を用いて受信クロックを生成（再生）する。受信クロック再生部１６は、生成した受信クロックを受信処理部１５へ出力する。ここで、受信クロック再生部１６は、自装置が予備機器として動作する場合でも、クロック再生情報に基づいて受信クロックを生成（再生）し、受信処理部１５に出力する。
【００４２】
アラーム検出部１７は、自装置の障害である内部アラームを検出し、内部アラームが検出されたことを示す障害情報を生成し、当該障害情報を有線伝達部１２へ送る。また、アラーム検出部１７は、対向現用機器で異常が発生していることを示す信号を受信処理部１５から受け、対向現用機器の異常を検出する。アラーム検出部１７は、対向現用機器の異常が検出されたことを示す障害情報を生成し、当該障害情報を有線伝達部１２へ送る。また無線通信装置１０が予備機器として動作する場合、アラーム検出部１７は、対向現用機器より送信された現用機器である無線通信装置２０で障害が発生したことを示す障害情報を検出し、当該障害情報を有線伝達部１２へ送る。
【００４３】
有線伝達部１２は、選択装置５０のスイッチ部５１と接続されており、各ブロックより受け取ったデータを適切なブロックに伝送する。具体的には、有線伝達部１２は、スイッチ部５１から受け取ったデータを送信処理部１４へ送り、受信処理部１５から受け取ったデータをスイッチ部５１へ送る。また、有線伝達部１２は、マスタークロック部５３からスイッチ部５１を経由して入力したマスタークロックを送信クロック再生部１３へ伝送する。また、有線伝達部１２は、アラーム検出部１７から受け取った無線通信装置１０または無線通信装置２０において障害が発生していることを示す障害情報を、スイッチ部５１を経由してスイッチ制御部５２へ伝達することで、これらの無線通信装置で障害が発生していることを通知する。また、有線伝達部１２は、アラーム検出部１７から受け取った対向現用機器で異常が発生していることを示す障害情報を送信処理部１４へ伝達することで、対向現用機器において障害が発生していることをスイッチ制御部５２に通知する。
【００４４】
なお、無線通信装置２０、３０、４０は、無線通信装置１０と同一の構成であるため説明を省略する。これらの無線通信装置は、現用機器又は予備機器として動作することが可能であり、選択装置が行う切り替え制御に従って、現用機器又は予備機器として動作する。また、これらの無線通信装置は、予備機器として動作する場合であっても、対向現用機器から無線送信される情報を受信し、現用機器において障害が発生していないかどうかを監視する。また、予備機器として動作する無線通信装置においても、有線伝達部は、現用機器が参照するマスタークロックを入力し、入力したマスタークロックを送信クロック再生部に出力する。送信クロック再生部は、入力したマスタークロックに同期する形で送信クロックを生成（再生）しておく。従って、急遽予備機器から現用機器として動作するよう切り替えられた場合でも、既に送信クロック同期が取られた状態から運用を開始するための処理を開始できるため、予備系から現用系への切り替え時間を短くすることができ、パケット遅延を最小限に抑えることができる。
【００４５】
次に、選択装置について説明する。選択装置５０は、スイッチ部５１と、スイッチ制御部５２と、マスタークロック部５３と、を具備する。
【００４６】
スイッチ部５１は、対向現用機器である無線通信装置３０と無線通信を行う無線通信装置として無線通信装置１０又は無線通信装置２０のいずれか片方を、後述するスイッチ制御部５２からの切り替え制御に従って選択する。スイッチ部５１は、有線ネットワーク側から送られているデータを選択した無線通信装置に伝送し、無線通信装置より送られているデータを有線ネットワーク側へ伝送する。また、スイッチ部５１は、アラーム検出部１７又はアラーム検出部２７で検出され、有線伝達部１２又は有線伝達部２２を経由して送られてきた障害情報をスイッチ制御部５２へ伝達する。
【００４７】
スイッチ制御部５２は、スイッチ部５１の接続先を制御する。具体的には、スイッチ制御部５２は、有線ネットワークからのデータを有線伝達部１２もしくは有線伝達部２２のどちらへ受け渡すかの制御信号をスイッチ部５１へ出力する。また、スイッチ制御部５２は、スイッチ部５１より障害情報を受け取った場合は、現用機器を切り替えるための切り替え制御信号をスイッチ部５１へ出力する。また、スイッチ制御部５２は、運用を切り替える場合は、予備機器として停止していた送信処理部を起動させるために、スイッチ部５１を経由して、新たに現用機器として切り替えられた無線通信装置の送信処理部に運用スタート制御信号を出力する。当該送信処理部は、当該運用スタート制御信号を受け取ることで停止していた送信機能を起動させる。
【００４８】
マスタークロック部５３は、基準となるクロック信号であるマスタークロックを生成する。生成されたマスタークロックは、無線通信装置１０及び無線通信装置２０に送られ、送信クロック再生部１３と無線通信装置２０の送信クロック再生部２３において送信クロックを生成（再生）する際に参照される。従って、現用機器と予備機器とは、共に共通するマスタークロックに基づいて送信クロックを生成するため、現用機器の送信クロックと予備機器の送信クロックは同期している。
【００４９】
なお、選択装置６０の構成は選択装置５０の構成と同一であるため説明を省略する。
【００５０】
以上説明したように、本実施の形態の無線伝送システムにおいて、対向現用機器のアラーム検出部は、受信処理部を経由して現用機器の送信状態を監視する。そして、当該アラーム検出部は、現用機器からの送信が停波した場合などに障害を検出し、障害情報を生成する。送信処理部は、当該障害情報を予備機器に無線送信する。予備機器では、受信クロック再生を常に行い、対向現用機器から無線送信されるデータの受信を行うため、自機器で発生した障害だけではなく、対応機器から受信する障害情報に基づいて現用機器で発生した障害も検出することができる。
【００５１】
すなわち、予備機器は、受信処理部と受信クロック生成部を常に動作させておき、対向現用機器から無線送信されるデータを復調しているため、現用機器で障害が発生した時に予備機器への切り替え時間を短縮できる。従って、現用機器において自ら障害を検出し、障害情報をスイッチ制御部へ通知できない場合でも、スイッチ制御部は、対向現用機器と予備機器を経由して障害情報を得ることができるため短時間で切り替えが可能となる。
【００５２】
また、本実施の形態の無線伝送システムは、現用機器及び予備機器の双方が送信クロック再生部により送信クロック同期をとる構成としている。すなわち、現用機器及び予備機器の送信クロック再生部は、共通するマスタークロックに位相ロックをかけることで送信クロックを生成（再生）するため、クロック同期が取られている。
【００５３】
このように、予備機器への切り替えをスムーズに行える回路を予備機器が備えることで、現用機器周波数と同じ周波数で予備機器を動作させ、且つ、予備機器への切り替え時のパケットロスを防ぎ、予備機器への切り替え時にパケット遅延を最小に抑える事が可能となる。
【００５４】
次に、無線伝送システム２０００における障害発生時の動作について、図を用いて説明する。ここで、無線伝送システム２０００で発生する障害は様々なケースが想定されるため、各ケースについて図３から図７を用いて説明する。なお、以下、無線通信装置１０側から無線通信装置３０側への通信を下り方向、逆を上り方向として説明する。
【００５５】
図３は、下り方向の通信中に現用機器である無線通信装置１０に電源断絶等の障害が発生し、無線通信装置１０の機能が全停止した場合における現用系から予備系への切り替わり動作例を示すシーケンス図である。
【００５６】
スイッチ制御部５２は、現用機器として無線通信装置１０を選択することを指示する制御信号をスイッチ部５１に出す（ステップＳ１００）。スイッチ部５１は、ステップＳ１００におけるスイッチ制御部５２からの制御信号に従って、対向装置と無線通信を行う無線通信装置として無線通信装置１０を選択し、有線ネットワークと無線通信装置１０とを接続する。
【００５７】
その後、スイッチ部５１は、有線ネットワーク側から送られてくるデータを受ける（ステップＳ１０１）。スイッチ部５１は、ステップＳ１０１で有線ネットワーク側から受け取ったデータを現用機器として選択した無線通信装置１０へ送る（ステップＳ１０２）。無線通信装置１０は、スイッチ部５１より受け取ったデータに変調処理及び送信処理を行い、データを所定の搬送波に重畳して無線送信する（ステップＳ１０３）。無線通信装置１０より送信されたデータは、対向側の現用機器である無線通信装置３０と予備機器である無線通信装置４０の両方で受信される。
【００５８】
対向側の現用機器である無線通信装置３０は、ステップＳ１０３で送信されたデータを受信し、受信処理及び復調処理を行った後のデータをスイッチ部６１へ送る（ステップＳ１０４）。一方、予備機器である無線通信装置４０は、ステップＳ１０３で受け取ったデータに対して受信処理及び復調処理は行うものの、当該復調処理後のデータをスイッチ部６１へ送ることなく、必要に応じてデータを破棄する。
【００５９】
スイッチ部６１は、無線通信装置３０より受け取ったデータを有線ネットワーク側へ送る（ステップＳ１０５）。
【００６０】
以上のステップＳ１０１からステップＳ１０５の動作が繰り返されることで下り方向の通信が継続される。
【００６１】
ここで、無線通信装置１０において電力供給が途絶えるなどの障害が発生し、装置の機能が全停止したとする。この場合、無線通信装置１０のすべての機能が停止するため、選択装置５０のスイッチ部５１と無線通信装置１０の有線伝達部１２の接続が遮断される。
【００６２】
この状態でスイッチ部５１は、ネットワーク側から新たなデータを受け取った場合（ステップＳ１０６）、現用機器である無線通信装置１０との接続が遮断されているため、データを無線通信装置１０に送ることができない。ここで、スイッチ部５１は、内部に備えられた図示せぬリンク状態検出部において、無線通信装置１０との接続が遮断されたことを検出する（ステップＳ１０７）。具体的には、リンク状態検出部は、スイッチ部５１と接続されている無線通信装置の接続状態を監視しており、無線伝送部１２からの応答が途絶えた場合に、無線通信装置１０との接続が遮断されたと判断する。リンク状態検出部は、ステップＳ１０７において接続が遮断されたことを検出した場合は、スイッチ制御部５２に対して無線通信装置１０との接続が断絶したことを通知する（ステップＳ１０８）。
【００６３】
スイッチ制御部５２は、リンク状態検出部より上記通知を受けることで無線通信装置１０に故障等の異常が発生したことを検出する（ステップＳ１０９）。スイッチ制御部５２は、無線通信装置１０に異常が発生していることを検出した場合は、現用機器を無線通信装置１０から無線通信装置２０に切り替えるための切り替え制御を行う（ステップＳ１１０）。具体的には、スイッチ制御部５２は、有線ネットワークとの接続先を無線通信装置１０から無線通信装置２０へ切り替えることを指示する切り替え制御信号をスイッチ部５１に出力する。当該スイッチ制御部５２が行う制御により現用系と予備系が切り替えられる。
【００６４】
スイッチ部５１は、前記切り替え信号を受けて有線ネットワークの接続先を無線通信装置２０へ切り替えると共に、無線通信装置２０へ送信機能を起動させるための制御信号である運用スタート制御信号を送る（ステップＳ１１１）。
【００６５】
無線通信装置２０は、スイッチ部５１より送られてきた運用スタート制御信号に基づいて送信処理部２４を起動させ、運用をスタートする（ステップＳ１２）。
【００６６】
その後は、スイッチ部５１は、有線ネットワーク側から送られてくるデータを、現用機器として切り替えられた無線通信装置２０へ送る（ステップＳ１１３）。無線通信装置２０は、スイッチ部５１より受け取ったデータに対して変調処理及び送信処理を行った後、周波数ｆ１の搬送波にデータを重畳して無線送信する（ステップＳ１１４）。無線通信装置２０より無線送信されるデータも、対向側の現用機器である無線通信装置３０と予備機器である無線通信装置４０の両方で受信される。
【００６７】
無線通信装置３０は、ステップＳ１１４で受け取ったデータをスイッチ部６１へ送る（ステップＳ１１５）。一方、予備機器である無線通信装置４０は、ステップＳ１１４で受信したデータに対して受信処理及び復調処理は行ってデータを取得するものの、当該データをスイッチ部６１へ送ることはなく必要に応じて破棄する。
【００６８】
スイッチ部６１は、無線通信装置３０より受け取ったデータを有線ネットワーク側へ送る（ステップＳ１１７）。
【００６９】
以上のように、現用機器である無線通信装置１０において機能が全停止した場合は、選択装置内に設けられたリンク状態検出手段により、現用機器に異常を発生したことを検出し、運用を切り替える。このような構成とすることで、切り替えにかかる時間を短縮することができ、パケットロスやパケット遅延を最小限に抑えることができる。
【００７０】
次に、上り方向のデータ通信中に障害が発生する場合ついて説明する。図４は、上り方向の通信中に現用機器である無線通信装置１０に電源断絶等の障害が発生し、無線通信装置１０の機能が全停止する場合における現用系から予備系への切り替わり動作例を示すシーケンス図である。
【００７１】
図３の場合と同様、スイッチ制御部５２が、現用機器として無線通信装置１０を選択することを指示する制御信号をスイッチ部５１に出すことで、スイッチ部５１は有線ネットワークと無線通信装置１０を接続する（ステップＳ２００）。また、対向側においても、選択装置６０のスイッチ部６１は、現用機器として無線通信装置３０を選択しており、有線ネットワークと無線通信装置３０が接続されているものとする。
【００７２】
スイッチ部６１は、有線ネットワーク側から送られてくるデータを受け取る（ステップＳ２０１）。スイッチ部６１は、有線ネットワークより受け取ったデータを現用機器として選択した無線通信装置３０へ送る（ステップＳ２０２）。
【００７３】
無線通信装置３０は、スイッチ部６１より受け取ったデータに変調処理及び送信処理を行い、データを所定の搬送波に重畳して無線送信する（ステップＳ２０３）。無線通信装置３０より送信されるデータは、現用機器である無線通信装置１０と予備機器である無線通信装置２０の両方で受信される。
【００７４】
現用機器である無線通信装置１０は、ステップＳ２０３で無線通信装置３０より送信されたデータを受信し、復調処理を行った後にスイッチ部５１へ送る（ステップＳ２０４）。一方、予備機器である無線通信装置２０は、ステップＳ２０３で無線通信装置３０より送信されたデータを受信し、受信処理及び復調処理を行うが、当該データをスイッチ部５１へ送ることはなく必要に応じて破棄する。
【００７５】
スイッチ部５１は、無線通信装置１０より受け取ったデータを有線ネットワーク側へ送る（ステップＳ２０５）。
【００７６】
以上のステップＳ２０１からステップＳ２０５の動作が繰り返されることで上り方向の通信が継続される。
【００７７】
ここで、無線通信装置１０において電源が断になるなどの障害が発生し、装置の機能が全停止したとする。この場合、無線通信装置１０のすべての機能が停止するため、スイッチ部５１と有線伝達部１２の接続が遮断される。
【００７８】
この後、ネットワーク側よりデータが送られてきた場合、スイッチ部６１は当該データを受け取り（ステップＳ２０６）、当該データを現用機器である無線通信装置３０へ送る（ステップＳ２０７）。
【００７９】
無線通信装置３０は、スイッチ部６１より受け取ったデータを無線送信する（ステップＳ２０８）。ここで、無線通信装置１０は、全ての機能を停止しているため、無線通信装置３０より無線送信されたデータを受信することができない。一方、予備機器である無線通信装置２０は、当該データを受信し、受信処理及び復調処理を行った後に、必要に応じてデータを破棄する。
【００８０】
ここで、スイッチ部５１は、図３の場合と同様、内部のリンク状態検出部において無線通信装置１０の接続状態を監視しており、無線通信装置１０の機能が全停止した場合、無線通信装置１０との接続が遮断されたことを検出する（ステップＳ２０９）。リンク状態検出部は、ステップＳ２０９において接続が遮断されたことを検出した場合は、スイッチ制御部５２に対して無線通信装置１０との接続が遮断されたことを通知する（ステップＳ２１０）。
【００８１】
スイッチ制御部５２は、リンク状態検出部より上記通知を受けることで無線通信装置１０に異常が発生していることを検出する（ステップＳ２１１）。スイッチ制御部５２は、無線通信装置１０に異常が発生していることを検出した場合は、現用機器を無線通信装置１０から無線通信装置２０に切り替えるための制御を行う（ステップＳ２１２）。具体的には、スイッチ制御部５２は、有線ネットワークとの接続先を無線通信装置１０から無線通信装置２０へ切り替えることを指示する切り替え信号をスイッチ部５１に出力する。
【００８２】
スイッチ部５１は、前記切り替え信号を受けて有線ネットワークの接続先を無線通信装置２０へ切り替えると共に、無線通信装置２０へ送信処理部２４を起動させるための制御信号である運用スタート制御信号を送る（ステップＳ２１３）。無線通信装置２０は、スイッチ部５１より送られる運用スタート制御信号に基づいて送信処理部２４を起動させ、運用をスタートする（ステップＳ２１４）。
【００８３】
無線通信装置２０は、自装置が対向装置と無線通信を行う無線通信装置として切り替えられた後は、無線通信装置３０より受信したデータを破棄することなくスイッチ部５１に送る（ステップＳ２１５）。スイッチ部５１は、無線通信装置２０より受け取ったデータを有線ネットワーク側に送る（ステップＳ２１６）。
【００８４】
以上のように、上り方向の通信においても、現用機器である無線通信装置１０において機能が全停止した場合は、選択装置内に設けられたリンク状態検出手段により、異常を検出し、運用を切り替えることができる。従って、ステップＳ２０８において予備機器である無線通信装置２０が復調したデータを破棄する前に、ステップＳ２０９〜ステップＳ２１２の処理が行われ、予備機器が現用機器に切り替えられることで、パケットロスが発生することを防ぐことができる。
【００８５】
次に、無線通信装置１０の機能の一部が停止した場合の障害検出について説明する。図５は、下り方向の通信中に現用機器である無線通信装置１０において、その一部の機能である通信処理部１１の通信機能が停止した場合における現用系から予備系への切り替わり動作例を示すシーケンス図である。なお、ステップＳ３００〜ステップＳ３０５は、図３のステップＳ１００〜ステップＳ１０５と同一であるため説明を省略する。
【００８６】
下り方向の通信中のある時点で、無線通信装置１０の通信機能が停止したとする。この場合、無線通信装置１０の有線伝達部１２の機能は停止していないため、スイッチ部５１との接続は保たれており、リンク状態検出部において接続の遮断は検出されない。ここでスイッチ部５１は、ネットワーク側から新たなデータを受け取った場合（ステップＳ３０６）、当該データを無線通信装置１０へ送る（ステップＳ３０７）。
【００８７】
ここで、無線通信装置１０は、通信機能が停止しているため、スイッチ部５１より受け取ったデータを無線送信することができない。対向側の現用機器である無線通信装置３０は、無線通信装置１０よりデータを受信できないため、無線通信装置１０に故障等の障害が発生したことを検出する（ステップＳ３０８）。より具体的には、無線通信装置３０のアラーム検出部３７は、受信処理部３５が通信中の無線通信装置１０より一定時間データを受信できなかったことをもって、無線通信装置１０に障害が発生したことを検出し、無線通信装置１０に障害が発生したことを示す障害情報を生成する。
【００８８】
無線通信装置３０は、アラーム検出部３７で生成した障害情報を無線送信する（ステップＳ３０９）。無線通信装置３０より無線送信された障害情報は、予備機器である無線通信装置２０で受信される。一方、無線通信装置１０は通信機能を停止しているため当該障害情報を受信することができない。
【００８９】
無線通信装置２０において、アラーム検出部２７は、受信処理部２５で受信処理及び復調処理が行われたデータを監視する。アラーム検出部２７は、当該データの中に障害情報が含まれていた場合に、当該障害情報に基づいて現用機器である無線通信装置１０において故障等なんらかの障害が発生したことを検出する（ステップＳ３１０）。無線通信装置２０は、アラーム検出部２７で検出された無線通信装置１０において障害が発生したことを示す障害情報を、スイッチ部５１を経由してスイッチ制御部５２へ送る（ステップＳ３１１）。
【００９０】
スイッチ制御部５２は、無線通信装置２０より上記障害情報を受け取ることで無線通信装置１０に異常が発生したことを検出する（ステップＳ３１２）。
【００９１】
なお、以降のステップＳ３１３〜ステップＳ３１９は、図３のステップＳ１１０〜ステップＳ１１６と同一であるため説明を省略する。
【００９２】
以上説明したように、現用機器である無線通信装置１０において通信機能などの一部の機能が停止した場合には、選択装置５０自らでは無線通信装置１０の障害発生を検出することができない。しかしながら、本発明の無線伝送システム２０００では、対向装置が障害を検出して障害情報を無線送信し、予備機器である無線通信装置２０が当該障害情報を受信することにより無線通信装置１０で障害が発生したことを検出できる。従って、無線通信装置２０より障害情報を受け取った選択装置５０は、適切に現用系から予備系への切り替えを行うことができる。
【００９３】
次に、図５の場合と同様、無線通信装置１０の機能の一部が停止した場合の別の障害検出方法について説明する。図６は、下り方向の通信中に現用機器である無線通信装置１０において、その一部の機能である通信処理部１１の通信機能が停止した場合における現用系から予備系への切り替わり動作例を示すシーケンス図である。なお、ステップＳ４００〜ステップＳ４０７は、図５のステップＳ３００〜ステップＳ３０７と同一であるため説明を省略する。
【００９４】
ステップＳ４０７においてスイッチ部５１よりデータを受け取った無線通信装置１０は、通信機能が停止しているため、当該データを無線送信することができない。ここで無線通信装置１０のアラーム検出部１７は自装置の状態を監視し、異常が発生した場合は、自装置の障害を検出する（ステップＳ４０８）。具体的には、アラーム検出部１７は、通信処理部１１を始めとして装置内の各部を監視しており、通信処理部１１における通信機能に故障等が発生したことを検出した場合は、無線通信装置１０において障害が発生したことを示す障害情報を生成する。
【００９５】
アラーム検出部１７で生成された障害情報は、スイッチ部５１を経由してスイッチ制御部５２に送られる（ステップＳ４０９）。スイッチ制御部５２は、アラーム検出部１７から送られた上記障害情報に基づいて無線通信装置１０において障害が発生したことを検出する（ステップＳ４１０）。
【００９６】
なお、ステップＳ４１１〜ステップＳ４１７は、図５のステップＳ３１３〜ステップＳ３１９と同一であるため説明を省略する。
【００９７】
以上説明したように、現用機器である無線通信装置１０において一部の機能が停止しても、内部に備えられたアラーム検出部１７において障害が検出された場合は、無線通信装置１０自身が障害情報を選択装置５０へ送ることができる。従って、無線通信装置１０より障害情報を受け取った選択装置５０は、現用系から予備系へ切り替えることが可能となる。
【００９８】
次に、上り方向のデータ通信中に無線通信装置１０の機能の一部が停止した場合の障害検出方法について説明する。図７は、上り方向の通信中に現用機器である無線通信装置１０において、その一部の機能である通信処理部１１の通信機能が停止した場合における現用系から予備系への切り替わり動作例を示すシーケンス図である。なお、ステップＳ５００〜ステップＳ５０８は、図４のステップＳ２００〜ステップＳ２０８と同一であるため説明を省略する。
【００９９】
無線通信装置１０の通信機能が停止した場合であっても、有線伝達部１２の機能は停止していないため、スイッチ部５１内部に設けられたリンク状態検出部では、無線通信装置１０の障害は検出されない。一方、無線通信装置１０内部に備えられたアラーム検出部１７は、自装置の状態を監視しており、異常が発生した場合は、自装置の障害として検出する（ステップＳ５０９）。具体的には、アラーム検出部１７は、通信処理部１１を監視しており、通信処理部１１における通信機能に故障等が発生したことを検出した場合は、無線通信装置１０において障害が発生したことを示す障害情報を生成する。
【０１００】
アラーム検出部１７で生成された障害情報は、スイッチ部５１を経由してスイッチ制御部５２に送られる（ステップＳ５１０）。スイッチ制御部５２は、アラーム検出部１７から送られた上記障害情報に基づいて無線通信装置１０において障害が発生したことを検出する（ステップＳ５１１）。
【０１０１】
なお、ステップＳ５１２〜ステップＳ５１６は、図４におけるステップＳ２１２〜ステップＳ２１６と同一であるため説明を省略する。
【０１０２】
以上説明したように、上り方向での通信中に無線通信装置１０において通信機能が停止した場合においても、無線通信装置１０が自装置に発生した障害を検出し、選択装置に障害情報を送る。従って、選択装置は、当該障害情報に基づいて現用系から予備系への切り替えが可能となる。
【０１０３】
以上各実施の形態で説明したように、本発明の無線伝送システムは、現用系と予備系を備える冗長構成であって、予備機器は、受信機能と受信クロック再生機能は動作させており、現用機器と同様、対向現用機器から無線送信されるデータを受信している。従って、運用が変更されて当該予備機器が現用機器に切り替えられる場合でも、そのまま受信処理を継続することができる。
【０１０４】
また、予備機器において、送信クロック再生部は、現用機器が参照するマスタークロックを入力し、当該マスタークロックに位相ロックをかけることで送信クロックを予備機器でありながらも生成（再生）している。従って、予備機器は、比較的時間がかかる送信クロックの生成を予め行っているため、運用が現用系から予備系に運用が切り替えられた場合でも、予備機器においてスムーズに送信処理を開始することができる。
【０１０５】
なお、上記説明では、予備機器として１つの無線通信装置を備える場合について説明したが、これに限るものではなく２以上の複数の無線通信装置が予備機器として選択装置に接続されている構成であっても良い。
【０１０６】
また、無線通信装置や選択装置における各機能は、図示せぬ中央処理部（ＣＰＵ:Central Processing Unit）がプログラムを実行することで実現する構成であっても良い。
【０１０７】
すなわち、上述の実施の形態では、本発明をハードウェアの構成として説明したが、本発明は、これに限定されるものではない。本発明は、任意の処理を、ＣＰＵにコンピュータプログラムを実行させることにより実現することも可能である。また、上述したプログラムは、様々なタイプの非一時的なコンピュータ可読媒体（non−transitory  computer  readable  medium）を用いて格納され、コンピュータに供給することができる。非一時的なコンピュータ可読媒体は、様々なタイプの実体のある記録媒体（tangible  storage  medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read  Only  Memory）ＣＤ−Ｒ、ＣＤ−Ｒ／Ｗ、半導体メモリ（例えば、マスクＲＯＭ、ＰＲＯＭ（Programmable  ROM）、ＥＰＲＯＭ（Erasable  PROM）、フラッシュＲＯＭ、ＲＡＭ（Random  Access  Memory））を含む。また、プログラムは、様々なタイプの一時的なコンピュータ可読媒体（transitory  computer  readable  medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１０８】
なお、本発明は上記説明した構成に限られたものではなく、趣旨を逸脱しない範囲で適宜変更することが可能である。例えば、以下の構成とすることが可能である。
【０１０９】
（１）無線通信機能を備える第１無線通信装置及び第２無線通信装置と、無線伝送路を挟んで対向する対向装置と通信を行う無線通信装置として前記第１無線通信装置又は前記第２無線通信装置のいずれか片方を選択する選択装置と、を備える無線伝送システムであって、前記第２無線通信装置は、前記選択装置が前記対向装置と通信を行う無線通信装置として前記第１無線通信装置を選択している場合に、前記対向装置から送信される信号を受信し、前記第１無線通信装置で障害が発生していることを示す障害情報を検出した場合に前記第１無線通信装置で障害が発生していることを通知し、前記選択装置は、前記通知に基づいて前記対向装置と通信を行う無線通信装置を前記第１無線通信装置から前記第２無線通信装置に切り替える切り替え制御を行う、無線伝送システム。
（２）前記第１無線通信装置又は前記第２無線通信装置のうち、前記対向装置と通信を行う無線通信装置として選択されている無線通信装置は、基準となるマスタークロックに基づいて送信クロックを生成（再生）し、前記送信クロックに基づいて送信処理を行うことを特徴とし、前記対向装置と通信を行う無線通信装置として選択されていない無線通信装置は、前記マスタークロックに基づいて送信クロックを生成（再生）する一方で、前記送信クロックに基づく送信処理は行わないことを特徴とする、（１）に記載の無線伝送システム。
（３）前記第１無線通信装置及び第２無線通信装置は、基準となるマスタークロックを外部から入力する入力手段と、前記マスタークロックに基づいて送信クロックを生成（再生）する送信クロック生成手段と、前記送信クロックに基づいて送信処理を行う送信処理手段と、
受信処理を行う受信処理手段と、受信クロックを生成（再生）する受信クロック生成手段と、  前記受信処理手段で受信処理が行われた情報の中から前記障害情報を検出する障害検出手段と、  前記障害情報が検出された場合に、前記選択装置に障害の発生を通知する通知手段と、を具備する（１）又は（２）に記載の無線伝送システム。
（４）前記障害検出手段は、自装置で障害が発生したことを更に検出し、前記通知手段は、自装置で障害が発生したことを前記選択装置に通知する、（３）に記載の無線伝送システム。
（５）前記選択装置は、前記対向装置と通信を行う無線通信装置として前記第１無線通信装置又は前記第２無線通信装置のいずれか片方を選択する選択手段と、前記選択手段において前記対向装置と通信を行う無線通信装置として選択されていない無線通信装置より前記通知を受けた場合に、前記選択手段において選択されている前記対向装置と通信を行う無線通信装置を切り替える制御を行う切り替え制御手段と、を具備する（１）乃至（３）のいずれか１項に記載の無線伝送システム。
（６）前記選択装置は、基準となるマスタークロックを生成するクロック生成手段を更に具備し、前記選択手段は、前記マスタークロックを前記第１無線通信装置及び第２無線通信装置の両方に出力する、（５）に記載の無線伝送システム。
（７）無線伝送路を挟んで対向する対向装置と通信を行う無線通信装置を選択する選択装置に接続される無線通信装置であって、受信処理を行う受信処理手段と、受信クロックを生成（再生）する受信クロック生成手段と、障害が発生していることを検出する検出手段と、障害が発生していることを通知する通知手段と、を具備し、前記対向装置と通信を行う無線通信装置として選択されていない場合において、前記検出手段は、前記受信処理手段で受信処理が行われた情報の中から前記対向装置と通信を行っている無線通信装置において障害が発生していることを示す障害情報を検出し、前記通知手段は、前記障害情報が検出された場合に、前記対向装置と通信を行っている無線通信装置において障害が発生していることを前記選択装置に通知する、無線通信装置。
（８）基準となるマスタークロックを外部から入力する入力手段と、前記マスタークロックに基づいて送信クロックを生成（再生）する送信クロック生成手段と、前記送信クロックに基づいて送信処理を行う送信処理手段と、を更に具備し、前記対向装置と通信を行う無線通信装置として選択されていない場合において、前記入力手段は、前記対向装置と通信を行っている無線通信装置が参照しているマスタークロックを入力し、前記送信クロック生成手段は、前記入力手段で入力された前記マスタークロックに基づいて送信クロックを生成（再生）する一方、前記送信処理手段は、前記送信クロックに基づく送信処理を行わないことを特徴とする、（７）に記載の無線通信装置。
（９）前記検出手段は、自装置において障害が発生していることを更に検出し、前記通知手段は、自装置において障害が発生していることを前記選択装置に通知する、（７）又は（８）に記載の無線通信装置。
（１０）無線通信機能を備える複数の無線通信装置の中から無線伝送路を挟んで対向する対向装置と通信を行う無線通信装置を選択する選択ステップと、前記対向装置と通信を行う無線通信装置として選択されていない無線通信装置において前記対向装置から送信される信号を受信する受信ステップと、前記受信された信号の中に含まれている前記対向装置と通信を行っている無線通信装置において障害が発生していることを示す障害情報を検出する検出ステップと、前記障害情報が検出された場合は、前記対向装置と通信を行っている無線通信装置において障害が発生していることを通知する通知ステップと、前記通知を受けて、前記対向装置と通信を行う無線通信装置を切り替える切り替えステップと、を有する無線伝送方法。
【０１１０】
以上、実施の形態を参照して本願発明を説明したが、本願発明は上記によって限定されるものではない。本願発明の構成や詳細には、発明のスコープ内で当業者が理解し得る様々な変更をすることができる。
【０１１１】
この出願は、２０１１年５月２５日に出願された日本出願特願２０１１−１１６９７４を基礎とする優先権を主張し、その開示の全てをここに取り込む。
【産業上の利用可能性】
【０１１２】
本発明は、移動体通信システムを初めとする様々な無線通信網において、高い通信品質を実現するために利用することが可能である。
【符号の説明】
【０１１３】
１０、２０、３０、４０    無線通信装置
１１、２１、３１、４１    通信処理部
１２、２２、３２、４２    有線伝達部
１３、２３、３３、４３    送信クロック再生部
１４、２４、３４、４４    送信処理部
１５、２５、３５、４５    受信処理部
１６、２６、３６、４６    受信クロック再生部
１７、２７、３７、４７    アラーム検出部
５０、６０    選択装置
５１、６１    スイッチ部
５２、６２    スイッチ制御部
５３、６３    マスタークロック部
８１０、８２０、８３０、８４０    無線通信装置
８５０、８６０    選択装置
１０００、２０００    無線伝送システム
【図１】
2012160826.tif 000003
【図２】
2012160826.tif 000004
【図３】
2012160826.tif 000005
【図４】
2012160826.tif 000006
【図５】
2012160826.tif 000007
【図６】
2012160826.tif 000008
【図７】
2012160826.tif 000009
【図８】
2012160826.tif 000010
【国際調査報告】
2012160826.tif 000011
2012160826.tif 000012
2012160826.tif 000013
2012160826.tif 000014